(57)【特許請求の範囲】
【請求項１】
被写体の光学像を撮像して画像データを生成する撮像素子への被写体光を制御するシャッターと、
前記シャッターを保持する保持枠と、
前記シャッターの駆動時に発生する衝撃を吸収する環状弾性部材と、
前記環状弾性部材の内径部と係合する第１締結部材と、
を有し、
撮像装置本体および前記保持枠の一方は、貫通孔を形成しており、
撮像装置本体および前記保持枠の他方は、前記貫通孔を貫通する前記第１締結部材により締結され、
前記貫通孔は、少なくとも前記貫通孔を第１締結部材の締結方向から見たとき、前記環状弾性部材の外径と圧接し、前記衝撃が生じた際に前記環状弾性部材が圧縮変形できる空間を有する、
撮像装置。
【請求項２】
被写体の光学像を撮像して画像データを生成する撮像素子への被写体光を制御するシャッターと、
前記シャッターを保持する保持枠と、
前記シャッターの駆動時に発生する衝撃を吸収する環状弾性部材と、
前記環状弾性部材の内径部と係合する第１締結部材と、
を有し、
撮像装置本体および前記保持枠の一方は、貫通孔を形成しており、
撮像装置本体および前記保持枠の他方は、前記貫通孔を貫通する前記第１締結部材により締結され、
少なくとも前記貫通孔を第１締結部材の締結方向から見たとき、前記貫通孔の内周の長さは前記環状弾性部材の外周の長さよりも長く、前記貫通孔の内周は前記環状弾性部材の外径と圧接する、
撮像装置。
【請求項３】
撮像装置本体および前記保持枠の一方は、第２締結部材により締結され、
前記第２締結部材により締結される撮像装置本体または前記保持枠の他方には、前記衝撃が作用する方向に空間を有する長孔を設けられており、前記保持枠は前記長孔内で摺動可能なように前記第２締結部材によって保持される
請求項１または２のいずれかに記載の撮像装置。
【請求項４】
被写体の光学像を生成する光学系を有するレンズユニットを着脱自在に保持するボディマウントをさらに備える
請求項１から請求項３のいずれかに記載の撮像装置。
【請求項５】
前記貫通孔は四角形状であり、
前記貫通孔は前記環状弾性部材の外径と４辺の一部で圧接し、前記貫通孔の４隅に前記衝撃が生じた際に前記環状弾性部材が圧縮変形できる空間を有する
請求項１から４のいずれかに記載の撮像装置。
【請求項６】
前記貫通孔の４隅は、前記環状弾性部材の外径半径よりも小さな曲率半径の円弧を形成している請求項５に記載の撮像装置。
【請求項７】
被写体の光学像を撮像して画像データを生成する撮像素子を備える撮像装置に用いられ、前記撮像装置本体に締結される第１締結部材が挿入される環状弾性部材によって保持される、シャッターユニットであって、
前記撮像素子への被写体光を制御するシャッターと、
前記シャッターを保持する保持枠と、
を備え、
前記保持枠の前記シャッターの駆動方向と平行な面には、前記環状弾性部材が圧入される貫通孔が形成されており、
少なくとも前記貫通孔を前記第１締結部材の締結方向から見たとき、前記貫通孔の内周の長さは前記環状弾性部材の外周の長さよりも大きく、前記貫通孔の内周は前記環状弾性部材の外径と圧接される、
シャッターユニット。

【発明の詳細な説明】
【技術分野】
【０００１】
本開示は、静止画撮影を主に行うデジタルスチルカメラ等に用いるシャッターユニットおよび該シャッターユニットを備える撮像装置に関する。
【背景技術】
【０００２】
特許文献１は、シャッターユニットをシャーシに固定するカメラ本体を開示する。このカメラ本体は、シャッターユニットをシャーシの前側から２本のネジ部材によってネジ締結されることでシャーシに固定する。
【先行技術文献】
【特許文献】
【０００３】
【特許文献１】特開２０１２−１６３９４７号公報
【発明の概要】
【発明が解決しようとする課題】
【０００４】
本開示は、シャッターユニットを保持しつつ、シャッター駆動時の衝撃が生じた場合であっても、安定して衝撃吸収することができるシャッターユニットおよび撮像装置を提供する。
【課題を解決するための手段】
【０００５】
本開示における撮像装置は、被写体の光学像を撮像して画像データを生成する撮像素子への被写体光を制御するシャッターと、シャッターを保持する保持枠と、シャッター駆動時に発生する衝撃を吸収する環状弾性部材と、環状弾性部材の内径部と係合する第１締結部材と、を備える。撮像装置本体および保持枠の一方は、貫通孔を形成している。撮像装置本体および保持枠の他方は、貫通孔を貫通する第１締結部材により締結される。そして、貫通孔は、少なくとも貫通孔を第１締結部材の締結方向から見たとき、環状弾性部材の外径と圧接し、衝撃が生じた際に環状弾性部材が圧縮変形できる空間を有する。
【０００６】
また、本開示における撮像装置に用いられるシャッターユニットは、保持枠に該貫通孔を形成している。
【発明の効果】
【０００７】
本開示における撮像装置は、シャッターユニットを保持しつつ、シャッター駆動時衝撃が生じた場合であっても、安定して衝撃吸収することができる。
【図面の簡単な説明】
【０００８】
【図１】実施の形態１に係るカメラ本体の斜視図
【図２】実施の形態１に係るカメラ本体の中央断面図
【図３】実施の形態１に係るシャッターユニットの保持を示す斜視分解図
【図４】実施の形態１に係るシャッターユニットの保持を示す背面から見た断面図
【図５Ａ】実施の形態１に係る第１保持枠側被締結部と第１本体側被締結部を背面から見た拡大図
【図５Ｂ】図５ＡのＡ−Ａ線断面図
【図６Ａ】実施の形態１に係る第２保持枠側被締結部と第２本体側被締結部を背面から見た拡大図
【図６Ｂ】図６ＡのＣ−Ｃ線断面図
【図６Ｃ】図６ＡのＤ−Ｄ線断面図
【図７Ａ】貫通孔６１０の変形例に係る断面図
【図７Ｂ】貫通孔６１０の変形例に係る断面図
【図７Ｃ】貫通孔６１０の変形例に係る断面図
【図７Ｄ】貫通孔６１０の変形例に係る断面図
【図８Ａ】従来の実施の形態に係る第１保持枠側被締結部と第１本体側被締結部を後方から見た拡大図
【図８Ｂ】図８ＡのＢ−Ｂ線断面図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために、提供されるのであって、これらにより特許請求の範囲に記載の主題を限定することは意図されていない。
【００１１】
（実施の形態１）
以下、図１〜図６Ｃを用いて、実施の形態１を説明する。
【００１２】
［１−１．構成］
［１−１−１．撮像装置の概要］
図１は、実施の形態１に係るカメラ本体１００の斜視図である。カメラ本体１００は、交換レンズ式用のデジタルカメラ本体であり、筐体１０と、シャッターボタン１３と、図示しないレンズユニット（交換レンズの一例）を着脱可能なボディマウント１５０と、を備える。
【００１３】
以下、各部の詳細について説明する。説明の便宜のため、カメラ本体１００の被写体側を前、撮像面側を後ろ又は背、カメラ本体１００の通常姿勢における鉛直上側を上、鉛直下側を下ともいう。また、「左」「右」とは、被写体からカメラ本体１００を見た場合を基準とする用語である。
【００１４】
［１−１−２．カメラ本体１００の構成］
図２を用いて、実施の形態１に係る撮像装置（カメラ）の構成を説明する。図２は、カメラ本体１００の中央縦断面図である。
【００１５】
カメラ本体１００は、筐体１０内において、主に、前から順に、ボディマウント１５０、フォーカルプレーンシャッターユニット（以下、シャッターユニットと略称する）１９０、振動板１１３、光学的ローパスフィルタ１１２、カバーガラス１１１、ＣＭＯＳイメージセンサー１１０、放熱板１１５、メイン回路基板１４０、補強板１２１、表示装置１２０が配置されている。
【００１６】
なお、ＣＭＯＳイメージセンサー１１０は被写体の光学像を撮像して電気的な画像信号に変換する撮像素子の一例である。撮像素子は、ＣＣＤイメージセンサー等を含む概念である。
【００１７】
メイン回路基板１４０は、ＣＭＯＳイメージセンサー１１０を駆動制御する回路基板を含む。また、メイン回路基板１４０は、ＣＭＯＳイメージセンサー１１０からの画像データに所定の処理を施す回路基板も含み、ＣＭＯＳイメージセンサー１１０を駆動制御する。メイン回路基板１４０は、ＣＭＯＳイメージセンサー１１０からの画像データにＡＤ変換等の所定の処理を施す撮像素子回路基板の一例である。
【００１８】
表示装置１２０は、表示用画像データが示す画像等を表示する。表示用画像データは、メイン回路基板１４０で画像処理された画像データや、カメラ本体１００の撮影条件、操作メニュー等を画像として表示するためのデータ等である。表示装置１２０は、動画像も静止画像も選択的に表示可能である。表示装置１２０は、液晶ディスプレイを有する。
【００１９】
表示装置１２０は、カメラ本体１００に設けられている。本実施形態では、筐体１０の背面に配置されているが、カメラ本体１００のどこに配置されていてもよい。なお、表示装置１２０はカメラ本体１００に設けられた表示部の一例である。表示部としては、他にも、有機ＥＬ、無機ＥＬ、プラズマディスプレイパネル等、画像を表示できるものを用いることができる。
【００２０】
ボディマウント１５０は、着脱可能なレンズユニットをバヨネット結合にて保持する。ボディマウント１５０は、マウントバネ１５２を介してレンズユニットのレンズマウント（不図示）と機械的に接続可能であるとともに、電気接点１５１によりレンズユニットのレンズマウントと電気的に接続可能である。ボディマウント１５０とレンズマウントとを介して、カメラ本体１００とレンズユニットとの間で、データおよび／または制御信号を送受信可能である。
【００２１】
シャッターユニット１９０は、いわゆるフォーカルプレーンシャッターである。シャッターユニット１９０は、ボディマウント１５０とＣＭＯＳイメージセンサー１１０との間に配置される。
【００２２】
光学的ローパスフィルタ１１２は、被写体光の高周波成分を取り除く。具体的には、光学的ローパスフィルタ１１２は、レンズユニットにより結像する被写体像をＣＭＯＳイメージセンサー１１０の画素のピッチよりも荒い解像となるように分離する。一般的にＣＭＯＳイメージセンサー等の撮像素子は、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生するため、光学的ローパスフィルタ１１２によって偽色やモアレ現象の発生を抑制することが好ましい。さらに光学的ローパスフィルタ１１２には、赤外光をカットするためのＩｒカットフィルタ機能も併せ持たせている。
【００２３】
振動板１１３は、ＣＭＯＳイメージセンサー１１０よりも前に配置され、ＣＭＯＳイメージセンサー１１０への埃の付着を防ぐ。また、振動板１１３自身に付着した埃を振動により振り落とす。具体的には、振動板１１３は、透明の薄い板状部材であり、光学的ローパスフィルタ１１２の平面に貼り付けられており、不図示の圧電素子を介して光学素子保持部材１１４に固定されている。そして、振動板１１３は、交流電圧の印加による圧電素子の振動に伴って振動する。振動板１１３の前面には、酸化チタン等の透明な光触媒によって構成される防曇層が形成されている。
【００２４】
光学素子保持部材１１４は、ＣＭＯＳイメージセンサー１１０に係る光学部材を保持することによって、それらをユニット化するための部材である。光学部材は、前から順に振動板１１３、光学的ローパスフィルタ１１２、カバーガラス１１１、ＣＭＯＳイメージセンサー１１０、放熱板１１５を含む。本実施形態において、光学素子保持部材１１４および光学部材は、ＣＭＯＳイメージセンサーユニット２１を構成している。
【００２５】
シャーシ１２は、ボディマウント１５０、シャッターユニット１９０、ＣＭＯＳイメージセンサーユニット２１を支持する。ボディマウント１５０、シャッターユニット１９０、ＣＭＯＳイメージセンサーユニット２１は、シャーシ１２にネジ締結される。本実施形態において、シャーシ１２、ボディマウント１５０、シャッターユニット１９０およびＣＭＯＳイメージセンサーユニット２１は、マウントユニット１０２を構成している。
【００２６】
［１−１−３．シャッターユニット１９０保持機構の概略］
図３、図４を用いてシャッターユニット１９０の保持機構を説明する。
【００２７】
図３は、実施の形態１に係るシャッターユニット１９０の保持を示す背面から見た斜視分解図である。図４は、シャッターユニット１９０の保持を示す背面から見た断面図である。
【００２８】
シャッターユニット１９０は、先幕５０１ａと、後幕５０１ｂと、先幕を駆動させる先幕駆動部材５０２ａと、後幕を駆動させる後幕駆動部材５０２ｂと、保持枠５００を備える。不図示のシャッター幕駆動機構が、先幕駆動部材５０２ａをＦａ方向へ、後幕駆動部材５０２ｂをＦｂ方向へ回転させる事によって、シャッター幕（先幕５０１ａまたは後幕５０１ｂ）は、上下に駆動される。これにより、ＣＭＯＳイメージセンサー１１０への被写体光を制御する。
【００２９】
保持枠５００は、シャッターユニット１９０を構成する部材を保持している。保持枠５００には、保持枠側被締結部（第１保持枠側被締結部５１０および第２保持枠側被締結部５２０）が形成されている。
第１保持枠側被締結部５１０には、第１締結部材８１０が貫通する貫通孔６１０が形成されている。
第２保持枠側被締結部５２０には、第２締結部材８２０が貫通する長孔６２０が形成されている。
【００３０】
締結部材（第１締結部材８１０および第２締結部材８２０）は、ネジなどである。
【００３１】
撮像装置本体１００に固定されるシャーシ１２には、本体側被締結部（第１本体側被締結部７１０および第２本体側被締結部７２０）が形成されている。
本体側被締結部は、ネジ溝などである。
【００３２】
環状弾性部材１９２は、内側が貫通した、ゴム製のＯリングなどである。
【００３３】
シャッターユニット１９０は背面から締結部材（第１締結部材８１０および第２締結部材８２０）と環状弾性部材１９２によって、保持枠５００の被締結部（第１保持枠側被締結部５１０および第２保持枠側被締結部５２０）で、シャーシ１２の被締結部（第１本体側被締結部７１０および第２本体側被締結部７２０）に取り付けられる。
【００３４】
［１−１−４．被締結部の詳細］
図３から図６Ｃを用いて、実施の形態１に係る被締結部の詳細を説明する。
図５Ａは、第１保持枠側被締結部と第１本体側被締結部を背面から見た拡大図である。
図５Ｂは、図５ＡのＡ−Ａ線断面図である。
図６Ａは、第２保持枠側被締結部と第２本体側被締結部を背面から見た拡大図である。
図６Ｂは、図６ＡのＣ−Ｃ線断面図である。
図６Ｃは、図６ＡのＤ−Ｄ線断面図である。
【００３５】
図５Ａおよび図５Ｂに示すように、シャッターユニット１９０は背面から第１締結部材８１０と環状弾性部材１９２によって、保持枠５００の第１保持枠側被締結部５１０で、シャーシ１２の第１本体側被締結部７１０に取り付けられている。
【００３６】
シャーシ１２の第１本体側被締結部７１０には、第１締結部材８１０により固定されるネジ溝が形成されている。
【００３７】
第１締結部材８１０の先端には、第１本体側被締結部７１０と螺号するねじ山が設けられている。第１締結部材８１０の首下の外径は環状弾性部材１９２の内径よりやや大きく、環状弾性部材１９２を固定する。第１締結部材８１０の頭部の外径は、貫通孔６１０の角穴寸法Ａより大きく、シャッターユニット１９０の脱落を防止する。
【００３８】
環状弾性部材１９２の外径はΦＢで、外径面で貫通孔６１０の内径面を押圧している。
【００３９】
シャッターユニット１９０の保持枠５００には、第１保持枠側被締結部５１０が形成されている。第１保持枠側被締結部５１０には、貫通孔６１０が形成されている。
【００４０】
貫通孔６１０は環状弾性部材１９２の外径ΦＢより小さい角穴寸法Ａである略四角形状をしている。貫通孔６１０の４隅には、環状弾性部材１９２が弾性変形できる逃げ代である空間を有している。貫通孔６１０の４隅の寸法Ｒは環状弾性部材１９２の外径を形成する半径よりも小さい。
【００４１】
このように、環状弾性部材１９２を貫通孔６１０にはめ込み、貫通孔６１０の内径面４面によりひずまされた状態で、シャッターユニット１９０はシャーシ１２に取り付けられている。
【００４２】
図６Ａから図６Ｃに示すように、シャッターユニット１９０は背面から第２締結部材８２０によって、保持枠５００の第２保持枠側被締結部５２０で、シャーシ１２の第２本体側被締結部７２０に取り付けられている。
【００４３】
シャーシ１２の第２本体側被締結部７２０には、第２締結部材８２０により固定されるネジ溝が形成されている。
【００４４】
第２締結部材８２０の先端には、第２本体側被締結部７２０と螺号するねじ山が設けられている。第２締結部材８２０の首下の外径は長孔６２０の短手方向（左右方向）の内径と略一致である。
【００４５】
シャッターユニット１９０の保持枠５００には、第２保持枠側被締結部５２０が形成されている。第２保持枠側被締結部５２０には、長孔６２０が形成されている。
【００４６】
長孔６２０の長手方向（上下方向）の内径は第２締結部材８２０の首下の外径より大きく、第２締結部材８２０との間に空間を有している。この上下の空間長さは、貫通孔６１０の角穴寸法Ａと第１締結部材８１０の首下の外径との差よりも長くなっている。
【００４７】
このように、シャッターユニット１９０はシャーシ１２に、左右方向には移動が規制され、シャッター幕が駆動する方向（上下方向）には長孔６２０内で摺動可能に取り付けられている。
【００４８】
［１−２．動作］
以上のように構成された撮像装置について、その動作を以下説明する。
図４に示すように、使用者がカメラ本体１００を構え、被写体を撮るべくシャッターボタン１３を押すと先幕５０１ａと後幕５０１ｂが設定されたシャッタースピードに応じて定められたスリット巾を保ったまま上下方向に駆動し被写体を撮影することとなる。
【００４９】
シャッター幕が駆動し始めると、（先幕駆動部材５０２ａまたは後幕駆動部材５０２ｂ）の回転支点軸に回転モーメント（ＦａまたはＦｂ）が加わり、その反力としてシャッターユニット１９０を回転させようとする衝撃力（Ｆ１）が加わる。長孔６２０によって左右方向の移動が規制されているので、シャッターユニット１９０は、第２締結部材８２０の軸を中心として回転しようとする回転力が発生する。
貫通孔６１０には、環状弾性部材１９２がはめ込まれているので、該回転力によって環状弾性部材１９２は圧縮され変形することによって吸収され、シャッターユニット１９０の回転は抑制される。
【００５０】
また、シャッター幕は可動範囲を規制部材によって規制されているので、シャッター幕の駆動終了時には、シャッター幕と規制部材が接触し過大な衝撃力（Ｆ２）がシャッターユニット１９０に加わる。長孔６２０によって左右方向の移動が規制されているので、衝撃力（Ｆ２）は主に上下方向への衝撃力となって、シャッターユニット１９０に作用する。
貫通孔６１０には、環状弾性部材１９２がはめ込まれているので、該衝撃力によって環状弾性部材１９２は圧縮され変形することによって吸収され、シャッターユニット１９０の移動が抑制される。
【００５１】
環状弾性部材１９２は、弾性力が損なわれない程度の体積を保ったまま貫通孔６１０の空間に逃げるように変形する。
【００５２】
［１−３．効果等］
以上のように、本実施の形態において、撮像装置は、被写体の光学像を撮像して画像データを生成する撮像素子１１０への被写体光を制御するシャッター（先幕５０１ａまたは、後幕５０１ｂ）と、シャッターを保持する保持枠５００と、シャッター駆動時に発生する衝撃を吸収する環状弾性部材１９２と、環状弾性部材１９２の内径部と係合し、撮像装置本体に保持枠を締結する第１締結部材８１０と、撮像装置本体に設けられ、第１締結部材８１０によって締結される第１本体側被締結部７１０と、保持枠５００に設けられ、第１締結部材８１０によって締結される第１保持枠側被締結部５１０と、を備える。
第１保持枠側被締結部５１０の一方の被締結部は、環状弾性部材１９２の外径と圧接し、衝撃が生じた際に環状弾性部材１９２が圧縮変形できる空間を有する貫通孔６１０を形成している。
これにより、シャッター駆動していない状態において、環状弾性部材１９２は、第１保持枠側被締結部５１０を押圧する。シャッター駆動時に発生する衝撃が生じた状態では、環状弾性部材１９２は弾性力が損なわれない程度の体積を保ったまま変形して第１保持枠側被締結部５１０を押圧する。
そのため、環状弾性部材１９２または第１保持枠側被締結部５１０の形状ばらつきを吸収してシャッターユニット１９０をシャーシ１２に保持しつつ、シャッター駆動時に衝撃が生じた場合であっても、環状弾性部材１９２の弾性力を維持したままシャッターユニット１９０の保持枠５００を安定して撮像装置本体１００に保持できる。
【００５３】
また、本実施の形態において、撮像装置は、撮像装置本体１００に保持枠５００を締結する第２締結部材８２０と、撮像装置本体１００に設けられ、第２締結部材８２０によって締結される第２本体側被締結部７２０と、保持枠５００に設けられ、第２締結部材８２０によって締結される第２保持枠側被締結部５２０と、をさらに備える。
第２本体側被締結部７２０は、衝撃が作用する方向に空間を有する長孔６２０を設け、保持枠５００は長孔６２０内で摺動可能なように第２締結部材８２０によって締結されている。
これにより、保持枠５００は長孔６２０に沿って摺動され、衝撃力は規制される。
そのため、シャッターユニット１９０の保持枠５００をより安定して撮像装置本体１００に保持できる。
【００５４】
また、本実施の形態において、撮像装置は、被写体の光学像を生成する光学系を有するレンズユニットを着脱自在に保持するボディマウント１５０をさらに備える。
これにより、交換レンズユニット式の撮像装置に適用できる。
【００５５】
また、本実施の形態において、撮像装置の貫通孔６１０は略四角形状であり、貫通孔６１０は環状弾性部材１９２の外径と４辺の一部で圧接し、貫通孔６１０の４隅に衝撃が生じた際に環状弾性部材１９２が圧縮変形できる空間を有する。
これにより、環状弾性部材１９２は、第１保持枠側被締結部５１０を上下左右方向に押圧する。
そのため、シャッターユニット１９０の保持枠５００を上下左右方向に安定して撮像装置本体１００に保持できる。
【００５６】
また、本実施の形態において、撮像装置の貫通孔６１０は略四角形状であり、環状弾性部材１９２の外径半径よりも小さな寸法Ｒを貫通孔６１０の４隅に形成している。
これにより、空間を保ちつつ貫通孔６１０の４隅に加わる圧力を分散させることができる。
そのため、シャッター衝撃及びカメラ本体１００を落下させてしまった時の落下衝撃による破損を防ぐことができる。
【００５７】
（貫通孔６１０の変形例）
以下、図７Ａから図７Ｄを用いて、実施の形態１における貫通孔６１０の変形例を説明する。
外径１９２ａは、環状弾性部材１９２の外径を示す。
内径６１０ａは、貫通孔６１０の内径を示す。
図７Ａは、貫通孔６１０の内径が五角形状の場合である。
図７Ｂは、貫通孔６１０の内径が六角形状の場合である。
図７Ｃは、貫通孔６１０の内径が八角形状の場合である。
図７Ｄは、貫通孔６１０の内径が四角形状の場合であり、四隅に寸法Ｒが設けられ、さらに、四辺の中央部が内側に湾曲した形状である。
何れの場合も、貫通孔６１０の内径の一部は、環状弾性部材１９２の外径よりも小さく、貫通孔６１０は、環状弾性部材１９２の外径と圧接している。また、環状弾性部材１９２が圧縮変形できる空間を有している。なお、何れの場合においても頂点に寸法Ｒを設けても良い。
【００５８】
（従来の実施の形態）
以下、図８Ａ、図８Ｂを用いて、従来の実施の形態を説明する。
【００５９】
図８Ａは、従来の実施の形態に係る第１保持枠側被締結部と第１本体側被締結部を前方から見た拡大図である。
図８Ｂは、図８ＡのＢ−Ｂ線での断面図である。
【００６０】
シャッターユニット１９０の保持枠５００をビス３によりシャーシ１２と直接固定している。そのため、シャッターユニット１９０はシャーシ１２に強固に固定できる。しかし、シャッター機構の駆動力および停止時の衝撃力がそのままセンサーユニットに伝わってしまい、撮影画像にブレが発生するという悪影響を及ぼすという問題が生じる。
【００６１】
（他の実施の形態）
以上のように、本出願において開示する技術の例示として、実施の形態１を説明した。しかしながら、本開示における技術は、これに限定されず、変更、置き換え、付加、省略などを行った実施の形態にも適用できる。また、上記実施の形態１で説明した各構成要素を組み合わせて、新たな実施の形態とすることも可能である。
【００６２】
そこで、以下、他の実施の形態を例示する。
【００６３】
実施の形態１では、第１保持枠側被締結部５１０に形成された貫通孔６１０と環状弾性部材１９２によるシャッターユニットの固定について説明した。貫通孔６１０は、保持枠５００側に代えて、シャーシ１２側の第１本体側被締結部７１０に形成してもよく、第１保持枠側被締結部５１０と第１本体側被締結部７１０の一方の被締結部にあればよい。
【００６４】
実施の形態１では、第２保持枠側被締結部５２０に形成された長孔６２０によるシャッターユニットの固定について説明した。長孔６２０は、保持枠５００側に代えて、シャーシ１２側の第２本体側被締結部７２０に形成してもよく、第２保持枠側被締結部５２０と第２本体側被締結部７２０の一方の被締結部にあればよい。
【００６５】
実施の形態１では、貫通孔６１０の一例として図５Ａおよび図５Ｂに示す四角形状の貫通孔６１０を説明した。図７Ａ〜図７Ｄに示す形状でも良い。第１本体側被締結部７１０および前記第１保持枠側被締結部５１０の一方の被締結部にあって、環状弾性部材１９２の外径と圧接し、シャッター駆動時の衝撃が生じた際に環状弾性部材１９２が圧縮変形できる空間を有する貫通孔であればよい。
したがって、貫通孔６１０は、四角形状に限定されない。
【００６６】
なお、上述の実施の形態は、本開示における技術を例示するためのものであるから、特許請求の範囲またはその均等の範囲において種々の変更、置き換え、付加、省略などを行うことができる。
【産業上の利用可能性】
【００６７】
本開示は、シャッターを備える撮像装置に適用可能である。具体的には、スチルカメラ、デジタルスチルカメラ、コンパクトデジタルカメラ、ムービー、カメラ機能付き携帯電話機、スマートフォンなどに、本開示は適用可能である。
【符号の説明】
【００６８】
１００  撮像装置本体（カメラ本体）
１０  筐体
１２  シャーシ
１３  シャッターボタン
２１  ＣＭＯＳイメージセンサーユニット
１０２  マウントユニット
１１０  撮像素子（ＣＭＯＳイメージセンサー）
１１１  カバーガラス
１１２  光学的ローパスフィルタ
１１３  振動板
１１４  光学素子保持部材
１１５  放熱板
１２０  表示装置
１２１  補強板
１４０  メイン回路基板
１５０  ボディマウント
１５１  電気接点
１９０  シャッターユニット
１９２  環状弾性部材
５０１ａ  先幕
５００  保持枠
５０１ｂ  後幕
５０２ａ  先幕駆動部材（アーム）
５０２ｂ  後幕駆動部材（アーム）
５１０  第１保持枠側被締結部
５２０  第２保持枠側被締結部
６１０  貫通孔
６２０  長孔
７１０  第１本体側被締結部
７２０  第２本体側被締結部
８１０  第１締結部材
８２０  第２締結部材
【図１】
0006738995.tif 000002
【図２】
0006738995.tif 000003
【図３】
0006738995.tif 000004
【図４】
0006738995.tif 000005
【図５Ａ】
0006738995.tif 000006
【図５Ｂ】
0006738995.tif 000007
【図６Ａ】
0006738995.tif 000008
【図６Ｂ】
0006738995.tif 000009
【図６Ｃ】
0006738995.tif 000010
【図７Ａ】
0006738995.tif 000011
【図７Ｂ】
0006738995.tif 000012
【図７Ｃ】
0006738995.tif 000013
【図７Ｄ】
0006738995.tif 000014
【図８Ａ】
0006738995.tif 000015
【図８Ｂ】
0006738995.tif 000016